(57)【要約】【課題】骨髄液中の有核細胞及び脂質粒子の測定によって、骨髄有核細胞密度に関する指標を取得することを可能にする手段を提供することを課題とする。【解決手段】骨髄液中の有核細胞数及び脂質粒子数を計数し、有核細胞数及び脂質粒子数に基づいて、骨髄有核細胞密度に関する指標を取得することにより、上記の課題を解決する。【選択図】図１１
2020079772.tif 000002
【特許請求の範囲】
【請求項１】
骨髄液中の有核細胞数及び脂質粒子数を計数する工程と、
前記有核細胞数及び前記脂質粒子数に基づいて、骨髄有核細胞密度に関する指標を取得する工程と、
を備える、骨髄液分析方法。
【請求項２】
前記骨髄有核細胞密度に関する指標が、前記有核細胞数と前記脂質粒子数との比に関する値である、請求項１に記載の骨髄液分析方法。
【請求項３】
前記骨髄有核細胞密度に関する指標が、有核細胞数に対する脂質粒子数の比の値である、請求項１又は２に記載の骨髄液分析方法。
【請求項４】
前記骨髄有核細胞密度に関する指標を、表示する工程をさらに備える、請求項１〜３のいずれか１項に記載の骨髄液分析方法。
【請求項５】
前記有核細胞数及び前記脂質粒子数に基づいて、前記骨髄の状態を判定する工程をさらに備える、請求項１〜４のいずれか１項に記載の骨髄液分析方法。
【請求項６】
前記骨髄有核細胞密度に関する指標に基づいて、前記骨髄の状態を判定する工程をさらに備える、請求項１〜５のいずれか１項に記載の骨髄液分析方法。
【請求項７】
前記骨髄の状態を判定する工程において、低形成、正形成、及び過形成の少なくとも１つを判定する、請求項５又は６に記載の骨髄液分析方法。
【請求項８】
前記骨髄の状態を判定する工程において、前記骨髄有核細胞密度に関する指標と、所定の閾値とを比較して前記骨髄の状態を判定する、請求項６又は７に記載の骨髄液分析方法。
【請求項９】
前記骨髄の状態を判定する工程において、
前記有核細胞数に対する脂質粒子数の比の値が第１の閾値より高いとき、低形成であると判定し、
前記有核細胞数に対する脂質粒子数の比の値が第１の閾値より低く且つ第２の閾値より高いとき、正形成であると判定し、
前記有核細胞数に対する脂質粒子数の比の値が第２の閾値より低いとき、過形成であると判定する、請求項６〜８のいずれか１項に記載の骨髄液分析方法。
【請求項１０】
判定した前記骨髄の状態に関する情報を、表示する工程をさらに備える、請求項５〜９のいずれか１項に記載の骨髄液分析方法。
【請求項１１】
前記有核細胞数及び脂質粒子数を計数する工程において、前記測定試料をフローサイトメトリ法で測定する、請求項１〜１０のいずれか１項に記載の骨髄液分析方法。
【請求項１２】
前記骨髄液及び試薬を混合して測定試料を調製する工程をさらに備える、請求項１〜１１のいずれか１項に記載の骨髄液分析方法。
【請求項１３】
前記測定試料を調製する工程において、少なくとも前記骨髄液及び溶血剤を混合して前記測定試料を調製する、請求項１２に記載の骨髄液分析方法。
【請求項１４】
前記測定試料を調製する工程において、さらに蛍光色素を混合して前記測定試料を調製する、請求項１３に記載の骨髄液分析方法。
【請求項１５】
前記フローサイトメトリ法により取得した、蛍光信号情報、前方散乱光情報及び側方散乱光情報に基づいて、前記脂質粒子数を計数する、請求項１１〜１４のいずれか１項に記載の骨髄液分析方法。
【請求項１６】
前記有核細胞数及び脂質粒子数を計数する工程は、
前記骨髄液と、第１試薬とを含む第１測定試料を測定し、前記第１測定試料中の有核細胞数を計数する工程と、
前記骨髄液と、前記第１試薬とは異なる第２試薬とを含む第２測定試料を測定し、前記第２測定試料中の脂質粒子数を計数する工程と、
を備える、請求項１〜１５のいずれか１項に記載の骨髄液分析方法。
【請求項１７】
前記第１試薬は、pH 2.0以上4.5以下の溶解試薬を含み、前記第２試薬は、pHが5.5以上7.0以下である溶解試薬を含む、請求項１６に記載の骨髄液分析方法。
【請求項１８】
骨髄液から測定試料を調製する試料調製部と、
前記測定試料に含まれる粒子を検出する検出部と、
前記検出部により得られた情報に基づいて、前記測定試料中の有核細胞数及び脂質粒子数を計数する制御部と、を備え、
前記制御部が、前記有核細胞数及び前記脂質粒子数に基づいて、骨髄有核細胞密度に関する指標を取得する、
試料分析装置。
【請求項１９】
前記検出部は、
前記試料調製部によって調製された前記測定試料を流すよう構成されたフローセルと、
前記フローセル内を流れる前記測定試料に光を照射する光源部と、
前記測定試料に光が照射されたときに得られる光学的情報を取得する受光部と、
を備える、請求項１８に記載の試料分析装置。
【請求項２０】
前記受光部により取得した、蛍光信号情報、前方散乱光情報及び側方散乱光情報に基づいて、前記脂質粒子数を取得する、請求項１９に記載の骨髄液分析方法。
【請求項２１】
出力部をさらに備え、
前記制御部は、前記骨髄有核細胞密度に関する指標を前記出力部に出力する、請求項１８〜２０のいずれか１項に記載の試料分析装置。
【請求項２２】
前記骨髄有核細胞密度に関する指標が、前記有核細胞数と前記脂質粒子数との比に関する値である、請求項１８〜２１のいずれか１項に記載の試料分析装置。
【請求項２３】
前記制御部が、前記有核細胞数及び前記脂質粒子数に基づいて、前記骨髄の状態を判定する請求項１８〜２２のいずれか１項に記載の装置。
【請求項２４】
出力部をさらに備え、
前記制御部は、判定した前記骨髄の状態に関する情報を、前記出力部に出力する、請求項２３に記載の試料分析装置。
【請求項２５】
骨髄液を分析するためのコンピュータプログラムであって、
前記骨髄液に含まれる粒子を検出する検出部により得られた情報に基づいて、骨髄液中の有核細胞数及び脂質粒子数を計数するステップと、
前記有核細胞数及び前記脂質粒子数に基づいて、骨髄有核細胞密度に関する指標を取得するステップと、
をコンピュータに実行させる、コンピュータプログラム。
【請求項２６】
請求項２５に記載のコンピュータプログラムが記録されている記録媒体。
【発明の詳細な説明】
【技術分野】
【０００１】
本発明は、骨髄液分析方法、試料分析装置及びコンピュータプログラムに関する。
【背景技術】
【０００２】
骨髄検査は、造血障害、造血器腫瘍などの血液疾患の診断及び治療効果の判定に重要な検査である。骨髄検査の中でも骨髄像検査は、結果を迅速に得ることができ、費用対効果にも優れた有用な検査である。骨髄像検査では、骨髄穿刺により得た骨髄液をスライドグラスに塗抹して染色し、顕微鏡観察により細胞の分類、計数及び形態学的評価を行う。骨髄からの塗抹標本の作製及び細胞形態の観察には専門知識と経験を要するので、骨髄像検査は、高度な訓練を受けた専門家によって行われる。例えば、日本では、審査に合格した骨髄認定技師により骨髄像検査が行われ、海外では、血液病理医などの血液病理学の専門家により骨髄像検査が行われる。特許文献１には、骨髄像検査の標本作製の前処理方法及び装置が開示されている。
【０００３】
骨髄像検査で得られる情報の一つに、骨髄有核細胞密度がある。骨髄有核細胞密度は、顕微鏡を用いて骨髄液中の細胞を観察し、塗抹標本における有核細胞と脂肪細胞との面積比(脂肪細胞の面積／有核細胞の面積)により求める。正常な骨髄液では、有核細胞と脂肪細胞の割合はおおむね一定である。しかし、血液疾患患者の骨髄液では、有核細胞数に異常な変化が認められる。例えば、急性白血病などの疾患では、骨髄中の有核細胞数が増加し、再生不良性貧血などの疾患では、骨髄中の有核細胞数が減少する。臨床現場では、上記の面積比により求めた骨髄有核細胞密度に応じて、骨髄の状態を、過形成、正形成及び低形成に分類し、血液疾患の鑑別に用いている。
【先行技術文献】
【特許文献】
【０００４】
【特許文献１】特開平４−２０２９８号公報
【発明の概要】
【発明が解決しようとする課題】
【０００５】
骨髄検査に用いる骨髄液は、骨髄穿刺により患者から採取される。骨髄穿刺では、局所麻酔を行い骨髄に向け穿刺針を挿入し、骨髄液を吸引する。骨髄穿刺には痛みを感じることも多く、患者への負担も大きいので、骨髄検査は頻繁に行うことはできない。よって、骨髄検査を行う以上は、精度の高い情報を得ることが求められる。一方、骨髄像検査では、顕微鏡観察を行い、細胞の形態に基づく計数及び分類を用手法で行うので、骨髄有核細胞密度などの検査の精度は、検査者の技量及び経験に依存し、主観的要素も影響する。
【０００６】
そこで本発明は、骨髄有核細胞密度に関し、検査者の技量や経験によらない客観的な指標を提供することができる骨髄液の分析方法、分析装置及びコンピュータプログラムを提供することを目的とする。
【課題を解決するための手段】
【０００７】
本発明者らは、有核細胞数及び脂質粒子数に基づく指標が、驚くべきことに骨髄塗抹標本の顕微鏡観察に基づく骨髄有核細胞密度と良好に相関することを見出して、本発明を完成した。
【０００８】
本発明の一態様は、骨髄液中の有核細胞数及び脂質粒子数を計数する工程と、有核細胞数及び脂質粒子数に基づいて、骨髄有核細胞密度に関する指標を取得する工程とを備える、骨髄液分析方法を提供する。
【０００９】
ここで、「骨髄液」とは、骨髄穿刺又は骨髄生検により被検者から採取した骨髄液、及びその骨髄液を含む試料をいう。
【００１０】
また、「有核細胞数」とは、白血球系細胞の数及び赤芽球系細胞の数の合計をいう。ここで、白血球系細胞とは、例えば、骨髄芽球、前骨髄球、骨髄球、後骨髄球、桿状核球、分葉核球、好酸球、好塩基球、リンパ球及び単球を含んでいる。赤芽球系細胞とは、有核赤血球とも呼ばれ、例えば、前赤芽球、好塩基性赤芽球、多染性赤芽球及び正染性赤芽球を含んでいる。
【００１１】
「脂質粒子数」とは、脂肪細胞、及び脂肪細胞に由来する有形成分の合計をいう。
【００１２】
骨髄有核細胞密度は、一般的に、骨髄の塗抹標本の顕微鏡観察により取得した有核細胞の面積及び脂肪細胞の面積から算出される面積比(脂肪細胞の面積／有核細胞の面積)として定義されている。ここで、「骨髄有核細胞密度に関する指標」とは、本発明において見出した骨髄有核細胞密度に関連する新規の情報であって、有核細胞数及び脂質粒子数を用いて取得される情報をいう。
【００１３】
この態様において、骨髄有核細胞密度に関する指標は、有核細胞数と脂質粒子数との比に関する値であってもよい。また、この態様において、骨髄有核細胞密度に関する指標は、有核細胞数に対する脂質粒子数の比の値であってもよい。
【００１４】
この態様において、骨髄有核細胞密度に関する指標を表示してもよい。
【００１５】
この態様において、有核細胞数及び脂質粒子数に基づいて、骨髄の状態を判定する工程をさらに備えてもよい。
【００１６】
また、この態様において、骨髄有核細胞密度に関する指標に基づいて、骨髄の状態を判定する工程をさらに備えてもよい。骨髄の状態の判定として、低形成、正形成、及び過形成の少なくとも１つを判定してもよい。
【００１７】
上記の態様において、骨髄有核細胞密度に関する指標と、所定の閾値とを比較して骨髄の状態を判定してもよい。上記の態様において、骨髄の状態の判定では、有核細胞数に対する脂質粒子数の比の値が第１の閾値より高いとき、低形成であると判定し、有核細胞数に対する脂質粒子数の比の値が第１の閾値より低く且つ第２の閾値より高いとき、正形成であると判定し、有核細胞数に対する脂質粒子数の比の値が第２の閾値より低いとき、過形成であると判定してもよい。「第１の閾値」は、低形成と、正形成及び過形成とを区別する閾値である。「第２の閾値」は、過形成と、正形成及び低形成とを区別する閾値である。上記の態様において、判定した骨髄の状態に関する情報を表示してもよい。
【００１８】
この態様において、有核細胞数及び脂質粒子数を計数する工程において、測定試料をフローサイトメトリ法で測定してもよい。
【００１９】
この態様において、骨髄液及び試薬を混合して測定試料を調製する工程をさらに備えてもよい。この態様において、少なくとも骨髄液及び溶血剤を混合して測定試料を調製してもよい。また、この態様において、さらに蛍光色素を混合して測定試料を調製してもよい。ここで、「溶血剤」とは、赤血球を溶解できる物質を指している。また、「蛍光色素」とは、核酸を染色可能な蛍光物質である。
【００２０】
この態様において、フローサイトメトリ法により取得した、蛍光信号情報、前方散乱光情報及び側方散乱光情報に基づいて、脂質粒子数を計数してもよい。これにより、脂質粒子数を精度よく取得することができる。
【００２１】
この態様において、有核細胞数及び脂質粒子数を取得する工程は、骨髄液と、第１試薬とを含む第１測定試料を測定し、第１測定試料中の有核細胞数を計数する工程と、骨髄液と、第１試薬とは異なる第２試薬とを含む第２測定試料を測定し、第２測定試料中の脂質粒子数を計数する工程とを備えてもよい。
【００２２】
この態様において、第１試薬は、pH2.0以上4.5以下の溶解試薬を含み、第２試薬は、pHが5.5以上7.0以下である溶解試薬を含んでもよい。
【００２３】
本発明の一態様は、骨髄液から測定試料を調製する試料調製部と、測定試料に含まれる粒子を検出する検出部と、検出部により得られた情報に基づいて、測定試料中の有核細胞数及び脂質粒子数を取得する制御部とを備え、制御部が、有核細胞数及び脂質粒子数に基づいて、骨髄有核細胞密度に関する指標を取得する、試料分析装置を提供する。
【００２４】
この態様において、検出部は、試料調製部によって調製された測定試料を流すよう構成されたフローセルと、フローセル内を流れる測定試料に光を照射する光源部と、測定試料に光が照射されたときに得られる光学的情報を取得する光学検出部とを備えてもよい。
【００２５】
この態様において、受光部により取得した、蛍光信号情報、前方散乱光情報及び側方散乱光情報に基づいて、脂質粒子数を取得してもよい。
【００２６】
この態様において、試料分析装置は、出力部をさらに備え、制御部は、骨髄有核細胞密度に関する指標を出力部に出力してもよい。ここで、「出力部」とは、文字、画像などを表示可能な画面を有する表示装置、プリンタ、音声出力装置などを含む。
【００２７】
この態様において、骨髄有核細胞密度に関する指標は、有核細胞数と脂質粒子数との比に関する値であってもよい。
【００２８】
この態様において、制御部が、有核細胞数及び脂質粒子数に基づいて、骨髄の状態を判定してもよい。この態様において、試料分析装置は、出力部をさらに備え、制御部は、判定した骨髄の状態に関する情報を、出力部に出力してもよい。
【００２９】
本発明の一態様は、骨髄液を分析するためのコンピュータプログラムであって、骨髄液に含まれる粒子を検出する検出部により得られた情報に基づいて、骨髄液中の有核細胞数及び脂質粒子数を取得するステップと、有核細胞数及び脂質粒子数に基づいて、骨髄有核細胞密度に関する指標を取得するステップとをコンピュータに実行させる、コンピュータプログラムを提供する。この態様において、コンピュータプログラムは、記録媒体に記録されていてもよい。
【発明の効果】
【００３０】
本発明によれば、骨髄有核細胞密度に関し、検査者の技量や経験によらない客観的な指標を提供することができる。
【図面の簡単な説明】
【００３１】
【図１Ａ】有核赤血球及び白血球計数用試薬を用いたフローサイトメータ(FCM)測定で得られるスキャッタグラムの模式図である。
【図１Ｂ】白血球分類用試薬を用いたFCM測定で得られるスキャッタグラムの模式図である。
【図１Ｃ】共通試薬を用いたFCM測定で得られるスキャッタグラムの模式図である。
【図２Ａ】本実施形態の試料分析装置の構成を示す模式図である。
【図２Ｂ】本実施形態の試料分析装置の構成を示す模式図である。
【図３】フローセルの構成を示す斜視図である。
【図４】解析部の構成を示すブロック図である。
【図５】本実施形態の試料分析装置の動作の流れを示すフローチャートである。
【図６】測定試料調製処理の手順を示すフローチャートである。
【図７】測定データ解析処理の手順を示すフローチャートである。
【図８Ａ】骨髄有核細胞密度に基づく判定処理の手順のフローチャートである。
【図８Ｂ】骨髄有核細胞密度に基づく判定処理の手順のフローチャートである。
【図８Ｃ】骨髄有核細胞密度に基づく判定処理の手順のフローチャートである。
【図９】分析結果の表示例を示す図である。
【図１０Ａ】有核赤血球及び白血球計数用試薬を用いて調製した測定試料中の粒子の分布を示すスキャッタグラムの例である。
【図１０Ｂ】白血球分類用試薬を用いて調製した測定試料中の粒子の分布を示すスキャッタグラムの第１の例である。
【図１０Ｃ】白血球分類用試薬を用いて調製した測定試料中の粒子の分布を示すスキャッタグラムの第２の例である。
【図１１】顕微鏡観察に基づく骨髄有核細胞密度により分類された各被検者について、有核細胞数に対する脂質粒子数の比の分布を示すグラフである。
【図１２Ａ】有核細胞数に対する脂質粒子数の比に基づいて、骨髄有核細胞密度が低形成であるかの判定を行ったときのROC曲線である。
【図１２Ｂ】有核細胞数に対する脂質粒子数の比に基づいて、骨髄有核細胞密度が過形成であるかの判定を行ったときのROC曲線である。
【発明を実施するための形態】
【００３２】
[１．骨髄液分析方法]
本実施形態の骨髄液分析方法では、まず、骨髄液及び試薬を含む測定試料中の有核細胞数及び脂質粒子数を取得する。以下、骨髄液中の有核細胞数及び脂質粒子数の取得方法について説明する。
【００３３】
(骨髄液)
被検者から採取した骨髄液に、例えば、骨片、血球細胞の凝集などの細胞測定の障害となり得る固形の夾雑物があるときは、メッシュなどを用いて骨髄液をろ過してもよい。骨髄液には、必要に応じて、キレート剤及び／又は抗凝固剤が添加されてもよい。キレート剤としては、例えばEDTA(ethylene diamine tetraacetic acid)塩が挙げられる。抗凝固剤としては、例えばヘパリン、クエン酸又はクエン酸塩などが挙げられる。
【００３４】
骨髄液には、通常、有核細胞及び脂質粒子が含まれる。骨髄像検査では通常、有核細胞として、赤芽球系細胞、白血球系細胞、形質細胞(プラズマ細胞)、細網細胞(マクロファージ)及び巨核球が計数される。白血球系細胞のうち、前骨髄球、骨髄球及び後骨髄球はまとめて、顆粒球系幼若球とも呼ばれる。桿状核球は、成熟した好中球であり、分葉核球は、桿状核球からさらに成熟した好中球である。好酸球には、未成熟好酸球及び成熟好酸球が含まれる。好塩基球には、未成熟好塩基球及び成熟好塩基球が含まれる。
【００３５】
白血球系細胞及び赤芽球系細胞には、各種の白血病、悪性リンパ腫などの造血器腫瘍により出現及び増加する腫瘍化した細胞が含まれてもよい。例えば急性リンパ性白血病では、リンパ芽球が増加する。リンパ球には、異型リンパ球が含まれてもよい。異型リンパ球とは、抗原刺激により活性化したリンパ球であり、ウイルス感染などにより出現する。
【００３６】
本実施形態では、脂質粒子としては、例えば、脂肪細胞、破損した脂肪細胞の全部又は一部、破損した脂肪細胞から放出された脂肪塊などが挙げられる。なお、脂肪細胞は核を有しているが、脂質粒子に含めている。
【００３７】
正常骨髄においては、白血球系細胞及び赤芽球系細胞の合計が、全有核細胞の95%〜99%を占めることが知られている。本実施形態では、有核細胞として、白血球系細胞及び赤芽球系細胞を測定対象とする。すなわち、本実施形態の分析方法では、骨髄液から調製した測定試料を測定して、有核細胞数として、白血球系細胞の数及び赤芽球系細胞の数の合計を取得する。
【００３８】
(試薬)
本実施形態の分析方法に用いられる試薬は、有核細胞及び／又は脂質粒子の測定を可能にする試薬であれば、特に限定されない。試薬は、溶血剤及び蛍光色素の少なくとも１種を含むことが好ましい。好ましい実施形態では、試薬は、溶血剤及び蛍光色素を含む。この場合、試薬は、溶血剤及び蛍光色素の両方を含む一つの試薬であってもよい。また、個別に用意した、溶血剤を含む溶解試薬と、蛍光色素を含む染色試薬との組み合わせであってもよい。蛍光色素は、水溶液中では保存安定性がよくない場合があるので、試薬は、溶血剤を含む溶解試薬と、蛍光色素を含む染色試薬との二試薬で構成されることが好ましい。
【００３９】
有核細胞の計数及び脂質粒子の計数に用いる試薬は、１種であってもよいし、２種以上を組み合わせて用いてもよい。好ましい実施形態では、個別に用意した、有核細胞を測定可能な試薬と、脂質粒子を測定可能な試薬との組み合わせである。つまり、有核細胞を測定するための溶解試薬及び染色試薬と、脂質粒子を測定するための溶解試薬及び染色試薬とをそれぞれ別に用いている。本実施形態の分析方法では、有核細胞の測定には、有核赤血球及び白血球計数用試薬を用いている。また、脂質粒子の測定には、白血球分類用試薬を用いている。しかし、これはあくまで一例であり、有核細胞の測定及び脂質粒子の測定に用いる試薬はこれに限られない。
【００４０】
(有核赤血球及び白血球計数用試薬)
１．骨髄液中の有核細胞の測定に用いる溶血剤
有核赤血球及び白血球計数用試薬は、試料中の有核赤血球、及び白血球(好塩基球、及び好塩基球以外の白血球)の計数を可能にする。有核赤血球及び白血球計数用試薬は、溶血剤を含む溶解試薬と、蛍光色素を含む染色試薬との二試薬で構成される。上記の第１試薬としては、有核赤血球及び白血球計数用試薬が好適であるが、これに限定されない。
【００４１】
有核赤血球及び白血球計数用試薬の溶血剤としては、例えば、下記の式(1)で表される四級アンモニウム塩型のカチオン性界面活性剤、及び下記の式(2)で表されるピリジニウム型のカチオン界面活性剤から選択できる。カチオン性界面活性剤は１種でもよいし、２種以上を用いてもよい。
【００４２】
【化１】
2020079772.tif 000003
【００４３】
式(1)中、Ｒ1、Ｒ2及びＲ3は、同一又は異なって、水素原子、炭素数１〜８のアルキル基又は炭素数６〜８のアラルキル基であり；Ｒ4は、炭素数８〜18のアルキル基、炭素数８〜18のアルケニル基又は炭素数６〜18のアラルキル基であり；Ｘ-はアニオンである。
【００４４】
【化２】
2020079772.tif 000004
【００４５】
式(2)中、Ｒ5は炭素数８〜18のアルキル基であり；Ｘ-はアニオンである。
【００４６】
上記の式(1)及び(2)において、炭素数１〜８のアルキル基としては、メチル、エチル、プロピル、t-ブチル、n-ブチル、イソペンチル、ネオペンチル、t-ペンチル、イソヘキシル、ヘプチル、オクチルなどが挙げられる。好ましくは、炭素数１〜３のアルキル基である。炭素数６〜８のアラルキル基としては、ベンジル、フェネチルなどが挙げられる。
【００４７】
炭素数８〜18のアルキル基としては、オクチル、デシル、ドデシル、テトラデシル、ヘキサデシル、オクタデシルなどが挙げられる。好ましくはデシル、ドデシル、テトラデシルなどの炭素数10〜14の直鎖のアルキル基である。炭素数８〜18のアルケニル基としては、オクテニル、デセニル、ドデセニル、テトラデセニル、ヘキサデセニル、オクタデセニルなどが挙げられる。炭素数６〜18のアラルキル基としては、フェニルプロピレン、フェニルブテン、ナフチルメチレン、ナフチルエチレン、ナフチルプロピレン、ビフェニルメチレン、ビフェニルエチレンなどが挙げられる。
【００４８】
アニオンは、ハロゲンイオン(Ｆ-、Cl-、Br-又はＩ-)、ハロゲン化ホウ素イオン(BF4-、BCl4-、BBr 4-など)、リン化合物イオン、ハロゲン酸素酸イオン、フルオロ硫酸イオン、メチル硫酸イオン、芳香環にハロゲン又はハロゲンをもつアルキル基を置換基として有するテトラフェニルホウ素化合物イオンなどが挙げられる。それらの中でもBr-又はBF4-が好ましい。
【００４９】
上記の式(1)又は(2)で表される界面活性剤の例として、オクチルトリメチルアンモニウムブロミド、オクチルトリメチルアンモニウムクロライド、デシルトリメチルアンモニウムブロミド、デシルトリメチルアンモニウムクロライド、ドデシルトリメチルアンモニウムブロミド、ドデシルトリメチルアンモニウムクロライド、ミリスチルトリメチルアンモニウムブロミド、ミリスチルトリメチルアンモニウムクロライド、ドデシルピリジニウムクロライドなどが挙げられる。
【００５０】
有核赤血球及び白血球計数用試薬では、溶血剤として、上記のカチオン性界面活性剤と共にノニオン性界面活性剤を用いることが好ましい。カチオン性界面活性剤とノニオン性界面活性剤とを混合して用いることにより、カチオン性界面活性剤による有核赤血球及び白血球系細胞への過度の損傷を抑えることができる。ノニオン性界面活性剤としては、ポリオキシエチレンアルキルエーテル、ポリオキシエチレンポリオキシプロピレンアルキルエーテル、ポリオキシエチレンヒマシ油、ポリオキシエチレン硬化ヒマシ油、ポリオキシエチレンステロール、及びポリオキシエチレン水素添加ステロールが挙げられる。ノニオン性界面活性剤は１種でもよいし、２種以上を用いてもよい。
【００５１】
上記のノニオン性界面活性剤の例として、ポリオキシエチレン(16)オレイルエーテル、ポリオキシエチレン(20)セチルエーテル、ポリオキシエチレン(20)ポリオキシプロピレン(8)セチルエーテル、ポリオキシエチレン(30)ポリオキシプロピレン(6)デシルテトラデシルエーテル、ポリオキシエチレン(20)ヒマシ油、ポリオキシエチレン(20)硬化ヒマシ油、ポリオキシエチレン(50)硬化ヒマシ油、ポリオキシエチレン(25)フィトスタノールなどが挙げられる。これらの中でも、ポリオキシエチレン(16)オレイルエーテル、ポリオキシエチレン(20)ポリオキシプロピレン(8)セチルエーテルが特に好ましい。
【００５２】
有核赤血球及び白血球計数用試薬では、溶解試薬中のカチオン性界面活性剤の濃度は、通常300〜9000 ppmであり、好ましくは400〜8000 ppmであり、より好ましくは500〜7000 ppmである。また、溶解試薬中のノニオン性界面活性剤の濃度は、通常500〜7000 ppmであり、好ましくは800〜6000 ppmであり、より好ましくは1000〜5000 ppmである。
【００５３】
上記の溶血剤を含む溶解試薬の浸透圧は、通常150 mOsm/kg以下であり、好ましくは120 mOsm/kg以下であり、より好ましくは100 mOsm/kg以下である。浸透圧の下限は特に限定されないが、例えば20 mOsm/kg以上、好ましくは30 mOsm/kg以上、より好ましくは40 mOsm/kg以上である。上記の溶血剤を含む溶解試薬のpHは、好ましくは2.0以上4.5以下であり、より好ましくは2.5以上3.5以下である。
【００５４】
上記の溶血剤を含む溶解試薬の浸透圧及びpHを上記の範囲内にするために、溶解試薬は、例えば、電解質、糖類、緩衝剤、芳香族の有機酸などを含むことが好ましい。本明細書において「芳香族の有機酸」とは、分子内に少なくとも１つの芳香環を有する酸及びその塩をいう。電解質としては、無機塩類が好ましく、例えば塩化ナトリウム、塩化カリウムなどが挙げられる。糖質は、単糖類、二糖類、多糖類及びオリゴ糖のいずれであってもよく、例えばグルコース、ラクトース、スクロースなどが挙げられる。緩衝剤としては、設定するpH±2.0の付近にpKaを有する緩衝剤であればよく、例えばリンゴ酸、クエン酸、マレイン酸、酒石酸、ジグリコール酸、マロン酸などが挙げられる。芳香族の有機酸としては、例えばフタル酸、サリチル酸、安息香酸、ヒドロキシ安息香酸、アミノ安息香酸、馬尿酸、p-アミノベンゼンスルホン酸、ベンゼンスルホン酸、及びそれらのアルカリ金属塩(例えばナトリウム塩及びカリウム塩)などが挙げられる。これらの濃度は、例えば0.1〜100 mM程度が適当であり、１〜30 mM程度が好ましい。
【００５５】
２．骨髄液中の有核細胞の測定に用いる蛍光色素
有核赤血球及び白血球計数用試薬の蛍光色素としては、例えば、以下の式(3)及び(4)のいずれか１つで表される化合物が挙げられる。蛍光色素は１種でもよいし、２種以上を用いてもよい。
【００５６】
【化３】
2020079772.tif 000005
【００５７】
式(3)中、Ｒ6及びＲ7は、同一又は異なってアルキル基であり；
【化４】
2020079772.tif 000006
であり；
【００５８】
【化５】
2020079772.tif 000007
であり；Ｒ8、Ｒ9、Ｒ10及びＲ11は、同一又は異なって水素原子又はアルキル基であり；Ｘ-はアニオンである。
【００５９】
【化６】
2020079772.tif 000008
【００６０】
式(4)中、Ｒ12及びＲ13は、同一又は異なって、酸性基を有していてもよいアルキル基であり；
【化７】
2020079772.tif 000009
であり；
【００６１】
【化８】
2020079772.tif 000010
であり；Ｒ14、Ｒ15、Ｒ16及びＲ17は、同一又は異なって水素原子又は酸性基であるが、ただし、Ｒ12〜Ｒ17のいずれか１つには酸性基が存在し；Ｒ12〜Ｒ17に存在し得る酸性基は、塩を形成していてもよいが、ただし、Ｒ12〜Ｒ17に存在し得る酸性基のうちのいずれか１つは、プロトンを放出した基である。
【００６２】
上記の式(3)又は(4)におけるアルキル基は、直鎖状又は分枝鎖状のいずれであってもよい。アルキル基の炭素数は、通常１〜20であり、好ましくは１〜10であり、より好ましくは１〜６である。アルキル基としては、例えばメチル、エチル、プロピル、t-ブチル、n-ブチル、n-ペンチル、n-ヘキシルなどが挙げられる。
【００６３】
式(3)におけるアニオンとしては、Ｆ-、Cl-、Br-、Ｉ-などのハロゲンイオン、及びCF3SO3-、BF4-、ClO4-などが挙げられる。式(4)において存在し得る酸性基は、プロトンを放出し得る基、及びプロトンを放出し得る基がプロトンを放出した基の両方を含む。プロトンを放出し得る基としては、カルボキシル基、スルホン酸基、リン酸基などが挙げられ、スルホン酸基が特に好ましい。酸性基は、塩を形成していてもよい。このような塩としては、ナトリウム塩、カリウム塩のようなアルカリ金属塩などが挙げられる。より好ましくは、ナトリウム塩である。
【００６４】
上記の式(3)又は(4)で表される蛍光色素の例として、NK-529、NK-2670、NK-3750、NK-3383、NK-1840、NK-9001、NK-9003、NK-2929、NK-3375、NK-5056、NK-3266、NK-3620などが挙げられる。これらの蛍光色素は、株式会社林原から入手できる。
【００６５】
試薬における蛍光色素の濃度は、蛍光色素の種類に応じて適宜決定できるが、通常0.01 mg/L以上100 mg/L以下であり、好ましくは0.1 mg/L以上90 mg/L以下であり、より好ましくは0.2 mg/L以上80 mg/L以下である。試薬が、蛍光色素及び溶血剤の両方を含む１つの試薬である場合、蛍光色素は、溶血剤を含む溶解試薬中に溶解すればよい。試薬が、溶血剤を含む溶解試薬と、蛍光色素を含む染色試薬との組み合わせである場合、蛍光色素は、適切な有機溶媒に溶解すればよい。そのような有機溶媒は、蛍光色素を溶解できれば特に限定されず、例えば炭素数１〜６のアルコール、エチレングリコール、ジエチレングリコール、ポリエチレングリコール、ジメチルスルホキシド(DMSO)などが挙げられる。
【００６６】
(白血球分類用試薬)
１．骨髄液中の脂質粒子の測定に用いる溶血剤
白血球分類用試薬は、試料中の白血球を、３種類(顆粒球、リンパ球及び単球)、４種類(好中球及び好塩基球、好酸球、リンパ球、及び単球)、５種類(好中球、好塩基球、好酸球、リンパ球、及び単球)又は６種類(好中球、好塩基球、好酸球、リンパ球、単球、及び顆粒球形幼若球)に分類し計数するための試薬であるが、脂質粒子も計数できる。白血球分類用試薬は、溶血剤を含む溶解試薬と、蛍光色素を含む染色試薬との二試薬で構成される。上記の第２試薬としては、白血球分類用試薬が好適であるが、これに限定されない。
【００６７】
白血球分類用試薬の溶血剤としては、例えば、カチオン性界面活性剤、ノニオン性界面活性剤及び芳香族の有機酸の組み合わせが挙げられる。好ましい実施形態では、溶血剤を含む溶解試薬として、カチオン性界面活性剤、ノニオン性界面活性剤、及び20 mM以上50 mM以下の濃度で芳香族の有機酸を含む試薬であって、芳香族の有機酸の濃度が20 mM以上30 mM未満の場合、試薬のpHが5.5以上6.4以下であり、芳香族の有機酸の濃度が30 mM以上50 mM以下の場合、試薬のpHが5.5以上7.0以下である試薬を用いる。
【００６８】
芳香族の有機酸は、例えばフタル酸、サリチル酸、安息香酸、ヒドロキシ安息香酸、アミノ安息香酸、馬尿酸、p-アミノベンゼンスルホン酸、ベンゼンスルホン酸、及びそれらのアルカリ金属塩(例えばナトリウム塩及びカリウム塩)などが挙げられる。芳香族の有機酸は１種でもよいし、２種以上を用いてもよい。溶解試薬が芳香族の有機酸を２種以上含む場合、それらの濃度の合計が20 mM以上50 mM以下であればよい。
【００６９】
溶解試薬中の芳香族の有機酸の濃度が20 mM以上30 mM未満の場合、試薬のpHは5.5以上6.4以下が好ましく、5.5以上6.2以下がより好ましい。また、溶解試薬中の芳香族の有機酸の濃度が30 mM以上50 mM以下、好ましくは40 mM以上50 mM以下である場合、試薬のpHが5.5以上7.0以下である。さらに好ましくは、溶血剤を含む試薬中の芳香族の有機酸の濃度が40 mM以上50 mM以下である場合、試薬のpHが5.5以上6.2以下である。
【００７０】
白血球分類用試薬のカチオン性界面活性剤は、下記の式(5)で表される四級アンモニウム塩型のカチオン性界面活性剤、及び下記の式(6)で表されるピリジニウム型のカチオン界面活性剤が好ましい。カチオン性界面活性剤は１種でもよいし、２種以上を用いてもよい。
【００７１】
【化９】
2020079772.tif 000011
【００７２】
式(5)中、Ｒ18は、炭素数６〜18のアルキル基又はアルケニル基であり；Ｒ19及びＲ20は、同一又は異なって、炭素数１〜４のアルキル基又はアルケニル基であり；Ｒ21は、炭素数１〜４のアルキル基もしくはアルケニル基、又はベンジル基であり；Ｘ-はハロゲンイオンである。
【００７３】
式(5)中、Ｒ18としては、炭素数が６、８、10、12及び14のアルキル基又はアルケニル基が好ましく、特に直鎖のアルキル基が好ましい。具体的には、オクチル基、デシル基及びドデシル基が挙げられる。Ｒ19及びＲ20としては、メチル基、エチル基及びプロピル基が好ましい。Ｒ21としては、メチル基、エチル基及びプロピル基が好ましい。ハロゲンイオンとしては、Ｆ-、Cl-、Br-及びＩ-が挙げられる。
【００７４】
【化１０】
2020079772.tif 000012
【００７５】
式(6)中、Ｒ22は炭素数６〜18のアルキル基であり；Ｘ-はハロゲンイオンである。Ｒ22としては、炭素数が６、８、10、12及び14のアルキル基又はアルケニル基が好ましく、特に直鎖のアルキル基が好ましい。具体的には、はオクチル基、デシル基及びドデシル基が挙げられる。ハロゲンイオンとしては、Ｆ-、Cl-、Br-及びＩ-が挙げられる。
【００７６】
白血球分類用試薬のノニオン性界面活性剤は、下記の式(7)で表されるポリオキシエチレン系ノニオン界面活性剤が好ましい。
【００７７】
Ｒ23−Ｒ24−(ＣＨ2ＣＨ2Ｏ)n−Ｈ    (7）
式(7)中、Ｒ23は、炭素数８〜25のアルキル基、アルケニル基又はアルキニル基であり；Ｒ24は、酸素原子、−ＣＯＯ−又は
【００７８】
【化１１】
2020079772.tif 000013
であり；ｎは10〜50である。
【００７９】
上記のノニオン系界面活性剤としては、例えば、ポリオキシエチレンアルキルエーテル、ポリオキシエチレンステロール、ポリオキシエチレンヒマシ油、ポリオキシエチレンソルビット脂肪酸エステル、ポリオキシエチレンアルキルアミン、ポリオキシエチレンポリオキシプロピレンアルキルエーテルなどが挙げられる。
【００８０】
白血球分類用試薬では、溶解試薬中のノニオン性界面活性剤の濃度は、10〜100000 ppm、好ましくは100〜10000 ppm、より好ましくは1000〜5000 ppm。また、試薬中のカチオン性界面活性剤の濃度は、通常10〜10000 ppm、好ましくは100〜1000 ppmである。
【００８１】
白血球分類用試薬の溶解試薬は、pHを上記の範囲内に保つために緩衝剤を含んでいてもよい。そのような緩衝剤としては、例えばクエン酸塩及びリン酸塩、HEPESなどのグッドの緩衝剤が挙げられる。なお、緩衝作用を有する芳香族の有機酸を溶解試薬に添加する場合は、緩衝剤の添加は任意である。溶解試薬の浸透圧は、特に限定されないが、赤血球を効率よく溶血させる観点から20 mOsm/kg以上150 mOsm/kg以下であることが好ましい。
【００８２】
２．骨髄液中の有核細胞の測定に用いる蛍光色素
白血球分類用試薬の蛍光色素は、例えば、プロピジウムアイオダイド、エチジウムブロマイド、エチジウム−アクリジンヘテロダイマー、エチジウムジアジド、エチジウムホモダイマー-1、エチジウムホモダイマー-2、エチジウムモノアジド、トリメチレンビス[[3-[[4-[[(3-メチルベンゾチアゾール-3-イウム)-2-イル]メチレン]-1，4-ジヒドロキノリン]-1-イル]プロピル]ジメチルアミニウム]・テトラヨージド(TOTO-1)、4-[(3-メチルベンゾチアゾール-2(3H)-イリデン)メチル]-1-[3-(トリメチルアミニオ)プロピル]キノリニウム・ジヨージド(TO-PRO-1)、N,N,N',N'-テトラメチル-N,N'-ビス[3-[4-[3-[(3-メチルベンゾチアゾール-3-イウム)-2-イル]-2-プロペニリデン]-1,4-ジヒドロキノリン-1-イル]プロピル]-1,3-プロパンジアミニウム・テトラヨージド(TOTO-3)、2-[3-[[1-[3-(トリメチルアミニオ)プロピル]-1,4-ジヒドロキノリン]-4-イリデン]-1-プロペニル]-3-メチルベンゾチアゾール-3-イウム・ジヨージド(TO-PRO-3)、及び以下の式(8)で表される蛍光色素からなる群より選択できる。蛍光色素は１種でもよいし、２種以上を用いてもよい。
【００８３】
【化１２】
2020079772.tif 000014
【００８４】
式(8)中、Ｒ25及びＲ28は、同一又は異なって、水素原子、アルキル基、ヒドロキシ基を有するアルキル鎖、エーテル基を有するアルキル鎖、エステル基を有するアルキル鎖、又は置換基を有していてもよいベンジル基であり；Ｒ26及びＲ27は、同一又は異なって、水素原子、ヒドロキシル基、ハロゲン、アルキル基、アルケニル基、アルキニル基、アルコキシ基、アルキルスルホニル基又はフェニル基であり；Ｚは、硫黄原子、酸素原子、又はメチル基を有する炭素原子であり；ｎは０、１、２又は３であり；Ｘ-はアニオンである。
【００８５】
式(8)におけるアルキル基は、直鎖又は分枝のいずれであってもよい。式(8)中、Ｒ25及びＲ28のいずれか一方が炭素数６〜18のアルキル基である場合、他方は水素原子又は炭素数６未満のアルキル基であることが好ましい。炭素数６〜18のアルキル基の中でも、炭素数が６、８又は10のアルキル基が好ましい。Ｒ25及び／又はＲ28が、置換基を有していてもよいベンジル基であるとき、該置換基としては、例えば、炭素数１〜20のアルキル基、炭素数２〜20のアルケニル基又は炭素数２〜20のアルキニル基が挙げられる。それらの中でも、メチル基又はエチル基が好ましい。
【００８６】
式(8)中、Ｒ26及びＲ27のアルケニル基として、例えば炭素数２〜20のアルケニル基が挙げられる。また、Ｒ26及びＲ27のアルコキシ基としては、例えば炭素数１〜20のアルコキシ基が挙げられる。それらの中でも、メトキシ基又はエトキシ基が好ましい。式(8)におけるアニオンとしては、Ｆ-、Cl-、Br-、Ｉ-などのハロゲンイオン、及びCF3SO3-、BF4-、ClO4-などが挙げられる。
【００８７】
白血球分類用試薬における蛍光色素の濃度及び溶媒は、有核赤血球及び白血球計数用試薬について述べたことと同様である。
【００８８】
(その他の試薬)
本実施形態では、有核細胞及び脂質粒子の測定にそれぞれ異なる溶解試薬及び染色試薬を用いている。しかし、これに限られず、有核細胞及び脂質粒子の測定を、共通の溶解試薬及び染色試薬を用いて行ってもよい。例えば、特許第4212827号に開示されている溶血剤を含む溶解試薬と、蛍光色素を含む染色試薬との二試薬で構成される試薬を用いることで、共通の溶解試薬及び染色試薬で、有核細胞及び脂質粒子の測定を行うことができる。
【００８９】
この共通試薬の溶血剤としては、例えば、上記の式(1)、(2)又は(7)で表される界面活性剤、並びにMEGA-8、シュクロースモノカプレート、デオキシ-BIGCHAP、n-オクチル-β-D-チオグルコシド、n-ノニル-β-D-チオマルトシド、n-ヘプチル-β-D-チオグルコシド、n-オクチル-β-D-チオグルコシド、CHAPS及びCHAPSOなどが挙げられる。溶解剤は１種でもよいし、２種以上を用いてもよい。
【００９０】
この共通試薬の蛍光色素としては、例えばNK-2825、NK-1836、NK-1954、オキサジン750、クリプトシアニン、NK-376、NK-382、NK-2711、NK-138、オキサジン720、LDS730、LD700、ナイルブルーＡ、ブリリアントグリーン、アイオダイドグリーン及びマラカイトグリーンなどが挙げられる。蛍光色素は１種でもよいし、２種以上を用いてもよい。
【００９１】
(測定試料の調製及び測定)
本実施形態では、測定試料は、骨髄液と試薬とを混合することにより調製できる。試薬が溶血剤を含む場合、少なくとも骨髄液と溶血剤とが混合されて、測定試料が調製される。試薬中の溶血剤の作用により、骨髄液中の有核細胞は、蛍光色素で染色可能な状態となる。蛍光色素で染色可能な状態とは、細胞の細胞膜に、蛍光色素が透過できる程度の損傷を与えた状態をいう。骨髄液に赤血球が混入していた場合は、溶血剤の作用により、赤血球を溶解できる。溶血剤の作用により、赤血球と同様に、赤芽球系細胞の細胞膜も破壊されるが、赤芽球系細胞の細胞核は保たれる。そのため、赤芽球系細胞は、染色可能な状態となり、FCMにより分類及び計数され得る。
【００９２】
好ましい実施形態では、測定試料の調製において、さらに蛍光色素を混合する。骨髄液が溶血剤で処理されている場合、蛍光色素は、有核細胞の損傷した細胞膜から細胞内に入り、細胞核内の核酸を染色できる。この場合、白血球系細胞は、強く染色されて強い蛍光を発する。赤芽球系細胞は、白血球系細胞より弱く染色されて、弱い蛍光を発する。白血球系細胞と赤芽球系細胞との間で蛍光強度の差異が生じる作用機序は明確ではないが、おそらく、赤芽球系細胞の核(DNA)は凝縮しているので、蛍光色素の細胞核への取り込みが阻害されるからと考えられる。また、脂質粒子も、蛍光色素により弱く染色されて、弱い蛍光を発する。一方、赤血球、赤血球ゴーストなどの核を有なさい細胞及び粒子は、ほとんど染色されない。
【００９３】
試薬が、溶血剤を含む一つの試薬であるか、又は溶血剤及び蛍光色素を含む一つの試薬である場合、骨髄液と試薬との混合比は、体積比で表して、通常１：５〜500であり、好ましくは１：10〜100である。試薬が、溶血剤を含む溶解試薬と、蛍光色素を含む染色試薬との組み合わせである場合、骨髄液と溶解試薬と染色試薬の混合比は、体積比で表して、通常１：５〜500：１〜10であり、好ましくは１：10〜100：２〜５である。骨髄液と試薬とを混合した後、混合物を所定の条件下でインキュベートすることが好ましい。所定の条件としては、例えば、15〜50℃、好ましくは30〜45℃の温度で、５〜120秒間、好ましくは５〜30秒間インキュベートする条件が挙げられる。測定試料の調製は、用手法で行ってもよいし、自動血球分析装置により行ってもよい。
【００９４】
本実施形態では、測定試料中の有核細胞及び脂質粒子の測定は、FCMにより行うことが好ましい。FCMによる測定では、調製した測定試料に光を照射して、光学的情報を取得する。具体的には、まず、測定試料をFCMのフローセルに導入し、該試料中の一つ一つの粒子がフローセルを通過するときに該粒子に光を照射する。そして、該粒子から発せられる散乱光及び蛍光を測定して、光学的情報を取得する。ここで、粒子とは、測定試料中に存在する有形成分であり、例えば、細胞、脂質粒子、溶血した赤血球の残骸(赤血球ゴースト)などのデブリスなどが挙げられる。試薬が蛍光色素を含まない場合、光学的情報として、散乱光情報を取得することが好ましい。試薬が蛍光色素を含む場合、光学的情報として、散乱光情報及び蛍光信号情報を取得することが好ましい。
【００９５】
脂質粒子は、蛍光信号情報、前方散乱光情報及び側方散乱光情報のうちのいずれか２つの情報だけでは、他の血球と良好に区別できない場合があり得る。よって、本実施形態では、フローサイトメータにより取得した、蛍光信号情報、前方散乱光情報及び側方散乱光情報に基づいて、脂質粒子数を取得することが好ましい。
【００９６】
散乱光情報としては、前方散乱光情報及び側方散乱光情報が好ましい。これらの散乱光情報としては、前方散乱光(例えば、受光角度０〜20度付近)及び側方散乱光(例えば、受光角度80〜100度付近)のパルスのピーク、パルス幅、及びパルス面積などが挙げられる。前方散乱光は、細胞の大きさを反映し、側方散乱光は、細胞内の核及び顆粒などの内部情報を反映することが知られている。本実施形態では、散乱光情報として、前方散乱光強度及び／又は側方散乱光強度を取得することが好ましい。蛍光信号情報としては、例えば、蛍光強度、蛍光パルス幅、及び蛍光パルス面積などが挙げられる。それらの中でも、蛍光強度が好ましい。照射する励起光の波長は、蛍光色素に応じて適宜選択できる。
【００９７】
FCMは特に限定されず、市販の自動血球分析装置を用いてもよい。そのような装置としては、例えばシスメックス株式会社のXNシリーズなどが挙げられる。FCMの光源は特に限定されず、蛍光色素の励起に好適な波長の光源を適宜選択できる。光源としては、例えば、青色半導体レーザ、赤色半導体レーザ、アルゴンレーザ、He-Neレーザ、水銀アークランプなどが使用される。
【００９８】
測定試料中の有核細胞数及び脂質粒子数は、FCMによる測定で得た光学的情報に基づいて取得できる。本実施形態では、前方散乱光情報、側方散乱光情報及び蛍光信号情報から選択される２つをＸ軸及Ｙ縦軸にとったスキャッタグラムを作成し、得られたスキャッタグラムを適当な解析ソフトで解析することにより、有核細胞数及び脂質粒子数を取得することが好ましい。FCMで測定された個々の粒子は、スキャッタグラム上にドットで示される。
【００９９】
例えば、有核赤血球及び白血球計数用試薬を用いて測定を行い、蛍光強度をＸ軸にとり、前方散乱光強度をＹ軸に取ったスキャッタグラムを作成した場合、図１Ａに示すにように、白血球及び有核赤血球が、集団を形成して分布する。白血球分類用試薬を用いて測定を行い、側方散乱光強度をＸ軸にとり、蛍光強度をＹ軸に取ったスキャッタグラムを作成した場合、図１Ｂに示すにように、白血球が、リンパ球、単球、好中球、好酸球及び好塩基球の５種類の集団を形成して分布する。また、脂質粒子も、蛍光強度がほとんどない領域に集団を形成する。共通試薬を用いて測定を行い、蛍光強度をＸ軸にとり、側方散乱光強度をＹ軸に取ったスキャッタグラムを作成した場合、図１Ｃに示すにように、有核細胞及び脂質粒子が、集団を形成して分布する。各集団における細胞数は、例えば、FCMに搭載された解析ソフトによって、スキャッタグラム上の各集団中のドットを計数することにより取得できる。なお、図１Ａ〜Ｃはスキャッタグラムの例であり、本発明はこれらに限定されない。
【０１００】
(骨髄有核細胞密度に関する指標の取得)
本実施形態の分析方法では、有核細胞数及び脂質粒子数に基づいて、骨髄有核細胞密度に関する指標を取得する。好ましい実施形態では、骨髄有核細胞密度に関する指標は、FCM測定により取得した有核細胞数及び脂質粒子数を用いて取得される、骨髄有核細胞密度に関連する情報である。また、骨髄有核細胞密度に関する指標は、有核細胞数及び脂質粒子数を用いて取得される値そのものに限られず、その値を用いて判定を行った結果、例えば、過形成、正形成、低形成などを示す情報であってもよい。
【０１０１】
本実施形態では、骨髄有核細胞密度に関する指標は、有核細胞数と脂質粒子数との比に関する値であることが好ましい。有核細胞数(NC)と脂質粒子数(LP)との比に関する値として、例えば、有核細胞数に対する脂質粒子数の比(LP/NC)、脂質粒子数に対する有核細胞数の比(NC/LP)、脂質粒子数及び有核細胞数の和に対する脂質粒子数の比(LP/(NC+LP))、脂質粒子数及び有核細胞数の和に対する有核細胞数の比(NC/(NC+LP))、これらの比から算出される値などが挙げられる。これらの比から算出される値とは、例えば、上記の比の算出において、任意の係数及び／又は定数を用いて得られた値が挙げられる。例えば、LP/NCの値が、塗抹標本の顕微鏡観察による骨髄有核細胞密度の値と同程度のオーダーとなるように、任意の係数及び／又は定数を用いることができる。また、有核細胞数と脂質粒子数との比の値に100を掛けて、比をパーセンテージで表してもよい。また、骨髄有核細胞密度に関する指標は、上記の比の値に対して、必要に応じ、任意の値を足したり引いたりしてもよい。好ましい実施形態では、有核細胞数と脂質粒子数との比に関する値は、有核細胞数と脂質粒子数との比の値が好ましく、特にLP/NCが好ましい。
【０１０２】
骨髄有核細胞密度に関する指標は、試料分析装置の出力部に出力してもよい。出力部は、例えば、FCMに搭載されている液晶ディスプレイ、プラズマディスプレイ、CRT (Cathode Ray Tube)ディスプレイなどのディスプレイにより構成されることが好ましい。骨髄有核細胞密度に関する指標は、塗抹標本の顕微鏡観察による骨髄有核細胞密度と同等の価値を有する情報として用いられ得る。医師などの医療従事者は、骨髄有核細胞密度に関する指標を血液疾患の鑑別などに用いてもよい。また、骨髄有核細胞密度に関する指標は、その他の検査結果及び医学的所見と組み合わせて用いることが好ましい。
【０１０３】
(骨髄有核細胞密度の判定)
当該技術分野では、塗抹標本の顕微鏡観察による骨髄有核細胞密度が、低形成、正形成又は過形成であるかを判定する。実施例に示されるように、本実施形態の分析方法で得られる骨髄有核細胞密度に関する指標は、塗抹標本の顕微鏡観察による骨髄有核細胞密度と良好に相関する。本実施形態の分析方法においては、有核細胞数及び脂質粒子数に基づいて、骨髄の状態を判定してもよい。あるいは、骨髄有核細胞密度に関する指標に基づいて、骨髄の状態を判定してもよい。例えば、骨髄有核細胞密度に関する指標に基づいて、「骨髄の状態が低形成であるか」、「骨髄の状態が正形成であるか」及び「骨髄の状態が過形成であるか」から選択される少なくとも１つの判定を行ってもよい。
【０１０４】
上記の判定は、骨髄有核細胞密度に関する指標と、該指標に対応する所定の閾値との比較結果に基づいて行うことが好ましい。例えば、骨髄有核細胞密度に関する指標としてLP/NCを用いて低形成の判定を行う場合、LP/NCの値と第１の閾値とを比較する。本実施形態において、LP/NCの値が第１の閾値より高いとき、骨髄の状態は低形成であると判定する。LP/NCの値が第１の閾値より低いとき、骨髄の状態は正形成又は過形成であると判定する。
【０１０５】
本実施形態では、LP/NCの値が第１の閾値と同じであるとき、骨髄の状態は低形成であると判定してもよいし、骨髄の状態は正形成又は過形成であると判定してもよい。すなわち、LP/NCの値が第１の閾値以上であるとき、骨髄の状態は低形成であると判定してもよい。あるいは、LP/NCの値が第１の閾値以下であるとき、骨髄の状態は正形成又は過形成であると判定してもよい。
【０１０６】
例えば、骨髄有核細胞密度に関する指標としてLP/NCを用いて過形成の判定を行う場合、LP/NCの値と第２の閾値とを比較する。本実施形態において、骨髄有核細胞密度に関する指標としてLP/NCを用いる場合、第２の閾値は、第１の閾値よりも低い値である。LP/NCの値が第２の閾値より低いとき、骨髄の状態は過形成であると判定する。LP/NCの値が第２の閾値より高いとき、骨髄の状態は正形成又は低形成であると判定する。
【０１０７】
本実施形態では、LP/NCの値が第２の閾値と同じであるとき、骨髄の状態は過形成であると判定してもよいし、骨髄の状態は正形成又は低形成であると判定してもよい。すなわち、LP/NCの値が第２の閾値以下であるとき、骨髄の状態は過形成であると判定してもよい。あるいは、LP/NCの値が第２の閾値以上であるとき、骨髄の状態は正形成又は低形成であると判定してもよい。
【０１０８】
例えば、骨髄有核細胞密度に関する指標としてLP/NCを用いて正形成の判定を行う場合、LP/NCの値と、第１閾値及び第２の閾値とを比較する。LP/NCの値が第１の閾値より低く且つ第２の閾値より高いとき、骨髄の状態は正形成であると判定する。
【０１０９】
本実施形態では、LP/NCの値が第１の閾値と同じであるとき、骨髄の状態は正形成であると判定してもよい。また、LP/NCの値が第２の閾値と同じであるとき、骨髄の状態は正形成であると判定してもよい。すなわち、LP/NCの値が第１の閾値以下であり低く且つ第２の閾値より高いとき、骨髄の状態は正形成であると判定してもよい。あるいは、LP/NCの値が第１の閾値より低く且つ第２の閾値以上であるとき、骨髄の状態は、正形成であると判定してもよい。あるいは、LP/NCの値が第１の閾値以下であり低く且つ第２の閾値以上であるとき、骨髄の状態は正形成であると判定してもよい。
【０１１０】
骨髄の状態の判定結果は、上記の出力部に出力してもよい。このように、本実施形態の分析方法は、医師などの医療従事者に対して、骨髄の状態の判定を補助する情報の提供を可能にする。
【０１１１】
所定の閾値は特に限定されず、適宜設定できる。例えば、健常者及び種々の血液疾患の患者の骨髄液における有核細胞数及び脂質粒子数を測定し、データを蓄積することにより、所定の閾値を経験的に設定してもよい。具体的には、次のようにして所定の閾値を設定してもよい。
【０１１２】
まず、複数の健常者及び種々の血液疾患の患者を含む被検者から骨髄液を採取し、塗抹標本の顕微鏡観察による骨髄有核細胞密度と、FCM測定による骨髄有核細胞密度に関する指標を取得する。次いで、被検者を、塗抹標本の顕微鏡観察による骨髄有核細胞密度に基づいて、低形成群、正形成群及び過形成群に分類する。そして、FCM測定による骨髄有核細胞密度に関する指標について、各群を最も精度よく区別可能な値を求め、その値を所定の閾値として設定する。閾値の設定においては、感度、特異度、陽性的中率、陰性的中率などを考慮することが好ましい。
【０１１３】
第１の閾値としては、例えば0.3より高く且つ0.75以下、好ましくは0.4以上0.5以下の範囲から設定してもよい。また、第２の閾値としては、例えば0.05以上且つ0.3以下、好ましくは0.08以上0.25以下の範囲から設定してもよい。
【０１１４】
[２．試料分析装置]
以下、本実施形態に係る試料分析装置の一例を、図面を参照して説明する。
【０１１５】
(試料分析装置の構成)
図２Ａに示されるように、試料分析装置１は、測定部２と、解析部３とを備える。測定部２は、骨髄液を取り込み、骨髄液から測定試料を調製し、測定試料を光学測定する。解析部３は、測定部２の測定により得られた測定データを処理し、骨髄液の分析結果を出力する。しかし、本実施形態はこの例のみに限定されず、例えば、測定部２及び解析部３が一体的に構成された装置であってもよい。
【０１１６】
測定部２は、吸引部４と、試料調製部５と、検出部６と、信号処理回路８１と、マイクロコンピュータ８２と、通信インターフェース８３とを備える。吸引部４は、吸引管４２を有する。吸引部４は、試験管４１に収容された骨髄液を吸引管４２によって吸引する。
【０１１７】
試料調製部５は、反応槽５４を有し、試薬容器５１、５２及び５３に接続されている。試験管４１は、骨髄液を収容する。試薬容器５１は、希釈液を収容する。試薬容器５１に収容される希釈液は、フローサイトメトリ法による測定においてシース液として利用される。試薬容器５２は、溶血剤を含む溶解試薬を収容する。試薬容器５３は、蛍光色素を含む染色試薬を収容する。吸引部４は、吸引管４２を反応槽５４の上方へ移動させ、試験管４１から吸引された骨髄液を反応槽５４に吐出する。骨髄液と溶解試薬と染色試薬とが反応槽５４で混合され、測定試料が調製される。本実施形態では、溶血剤及び蛍光色素の両方を含む１つの試薬を、骨髄液と混合して測定試料を調製してもよい。測定試料は、フローサイトメトリ法による光学的測定に供される。なお、本実施形態では、骨髄液中の有核細胞数及び脂質粒子数をフローサイトメトリ法により取得しているがこれに限られない。例えば、骨髄液の塗抹標本を撮像し、撮像した粒子画像に対して画像解析を行い、有核細胞数及び脂質粒子数を取得してもよい。また、曲線状の流路に細胞を流し、粒子にかかる外力の大きさの違いを利用して、有核細胞及び脂質粒子ごとに流れる位置を変えて粒子を分離し、分離した有核細胞及び脂質粒子をそれぞれ計数して有核細胞数及び脂質粒子数を取得してもよい。
【０１１８】
図２Ｂに示されるように、本実施形態の試料分析装置は、２つ以上の試料調製部を備えてもよい。図２Ｂの試料分析装置１は、測定部２が試料調製部５ａ及び５ｂを備えること以外は、図２Ａの試料分析装置１と同じである。試料調製部５ａは、反応槽５４ａを有し、試薬容器５１ａ、５２ａ及び５３ａに接続されている。試験管４１は、骨髄液を収容する。試料調製部５ｂは、反応槽５４ｂを有し、試薬容器５１ｂ、５２ｂ及び５３ｂに接続されている。試薬容器５１ａ及び５１ｂは、希釈液を収容する。試薬容器５２ａ及び５２ｂは、溶血剤を含む溶解試薬を収容する。試薬容器５２ａ及び５２ｂにおいて、溶血剤の種類は異なっていてもよい。試薬容器５３ａ及び５３ｂは、蛍光色素を含む染色試薬を収容する。試薬容器５３ａ及び５３ｂにおいて、蛍光色素の種類は異なっていてもよい。例えば、試薬容器５２ａ及び５３ａのそれぞれに、第１試薬としての有核赤血球及び白血球計数用試薬の溶解試薬及び染色試薬が収容されてもよい。また、試薬容器５２ｂ及び５３ｂのそれぞれに、第２試薬としての白血球分類用試薬の溶解試薬及び染色試薬が収容されてもよい。吸引部４は、試験管４１から吸引された骨髄液を反応槽５４ａ及び５４ｂのそれぞれに吐出する。反応槽５４ａに吐出された骨髄液を第１骨髄液と呼び、反応槽５４ｂに吐出された骨髄液を第２骨髄液と呼ぶ。反応槽５４ａでは、第１測定試料が調製され、反応槽５４ｂでは、第２測定試料が調製される。
【０１１９】
本実施形態では、検出部６は、フローサイトメトリ法による粒子の光学的測定に用いられる。検出部６は、フローセル６１と、光源部６２と、受光部６３及び６４とを備える。フローセル６１は、試薬容器５１に収容された希釈液及び試料調製部５により調製された測定試料が供給される。以下、フローサイトメトリ法により検出部６において粒子の検出を行い、有核細胞数及び脂質粒子数を取得する方法を説明するが、これに限られない。検出部６を骨髄液の塗抹標本を撮像する撮像部を備える構成とし、撮像部において撮像した粒子画像に基づいて、有核細胞数及び脂質粒子数を取得してもよい。
【０１２０】
フローセル６１は、透光性を有する石英、ガラス、合成樹脂などの材料によって管状に構成される。フローセル６１の内部は、測定試料及びシース液が流れる流路となっている。図３を参照して、フローセル６１には、内部空間が他の部分よりも細く絞り込まれたオリフィス６１ａが設けられている。また、オリフィス６１ａの入口付近は二重管構造となっており、その内側管部分は試料ノズル６１ｂとなっており、これを介して、試料調製部５により調製された測定試料が供給される。試料ノズル６１ｂの外側の空間は、シース液が流れる流路６１ｃである。シース液は、流路６１ｃを通って、オリフィス６１ａに導入される。このように、フローセル６１に供給されたシース液は、試料ノズル６１ｂから吐出された測定試料を包むように流れる。そして、オリフィス６１ａによって測定試料の流れが細く絞り込まれ、シース液で包まれた測定試料中の粒子が１つずつオリフィス６１ａを通過する。
【０１２１】
光源部６２は、半導体レーザ光源であり、例えば波長633 nmの赤色レーザ光をフローセル６１のオリフィス６１ａへ照射する。受光部６３、６４及び６５は、フローセル６１中の測定試料の流れに光が照射されたときに、測定試料中の個々の粒子から発せられる光を検出する。受光部６３、６４及び６５には、アバランシェフォトダイオード、フォトダイオード又は光電子倍増管を採用できる。以下、光源部６２とフローセル６１とを結ぶ方向を「Ｘ方向」といい、Ｘ方向に対して直交する方向を「Ｙ方向」という。フローセル６１からＹ方向側には、ダイクロイックミラー６６が配置されている。ダイクロイックミラー６６は、測定試料の個々の粒子から発せられる蛍光を透過し、測定試料の個々の粒子から発せられる側方散乱光を反射する。受光部６３は、フローセル６１からＹ方向側に配置され、ダイクロイックミラー６６を透過した蛍光を検出できる。受光部６５は、ダイクロイックミラー６６から反射した側方散乱光を検出できる。受光部６４は、フローセル６１からＸ方向側に配置される。さらに具体的には、受光部６４は、フローセル６１を挟んで光源部６２の反対側に配置される。受光部６４は、測定試料の個々の粒子から発せられる前方散乱光を検出できる。
【０１２２】
側方散乱光は、光源部６２の光軸方向(Ｘ方向)に対して90°の方向(Ｙ方向)に散乱する光に限定されない。側方散乱光は、例えば、Ｘ方向に対して80°以上100°以下の方向に散乱する光であってもよい。前方散乱光は、光源部６２の光軸方向(Ｘ方向)に散乱する光に限定されない。前方散乱光は、例えば、Ｘ方向に対して-10°以上10°以下の方向に散乱する光であってもよい。
【０１２３】
本実施形態では、光源部６２とフローセル６１との間に、図示しない複数のレンズからなる照射レンズ系を配置してもよい。照射レンズ系によって、半導体レーザ光源から射出された平行ビームがビームスポットに集束できる。
【０１２４】
受光部６３、６４及び６５のそれぞれは、検出した蛍光、前方散乱光及び側方散乱光を光電変換して、受光強度を示すアナログ信号を出力する。以下、受光部６３から出力されるアナログ信号を「蛍光信号」といい、受光部６４から出力されるアナログ信号を「前方散乱光信号」といい、受光部６５から出力されるアナログ信号を「側方散乱光信号」という。
【０１２５】
信号処理回路８１は、受光部６３、６４、６５が出力するアナログ信号に対して信号処理を行う。信号処理回路８１は、蛍光信号、前方散乱光信号及び側方散乱光信号に含まれるパルスのピーク値を特徴パラメータとして抽出する。以下、蛍光信号のピーク値を「蛍光強度」といい、前方散乱光信号のピーク値を「前方散乱光強度」といい、側方散乱光信号のピーク値を「側方散乱光強度」という。
【０１２６】
マイクロコンピュータ８２は、吸引部４、試料調製部５、検出部６、信号処理回路８１、及び通信インターフェース８３を制御する。通信インターフェース８３は、通信ケーブルによって解析部３に接続される。測定部２は、通信インターフェース８３によって、解析部３とデータ通信を行う。通信インターフェース８３は、各特徴パラメータを含む測定データを解析部３へ送信する。
【０１２７】
図４を参照し、解析部３の構成について説明する。解析部３は、本体３００と、入力部３０９と、出力部３１０とを備えている。本体３００は、ＣＰＵ(Central Processing Unit)３０１と、ＲＯＭ(Read Only Memory)３０２と、ＲＡＭ(Random Access Memory)３０３と、ハードディスク３０４と、読出装置３０５と、入出力インターフェース３０６と、画像出力インターフェース３０７と、通信インターフェース３０８とを有する。本実施の形態においては、出力部３１０として画像を表示するディスプレイを用いている。
【０１２８】
ＣＰＵ３０１は、ＲＯＭ３０２に記憶されているコンピュータプログラム３２２及びＲＡＭ３０３にロードされたコンピュータプログラムを実行する。ＲＡＭ３０３は、ＲＯＭ３０２及びハードディスク３０４に記録されている各コンピュータプログラムの読み出しに用いられる。ＲＡＭ３０３は、各コンピュータプログラムを実行するときに、ＣＰＵ３０１の作業領域としても利用される。ハードディスク３０４には、測定部２から与えられた測定データを解析して解析結果を出力するためのコンピュータプログラムであるアプリケーションプログラム３２０がインストールされている。コンピュータプログラム３２２には、BIOS(Basic Input Output System)が含まれる。アプリケーションプログラム３２０には、OS(Operating System)、骨髄液分析用プログラム及び骨髄の状態の判定用プログラムが含まれる。骨髄液分析用プログラムは、骨髄液中の有核細胞数及び脂質粒子数を取得し、有核細胞数及び脂質粒子数に基づいて、骨髄有核細胞密度に関する指標を取得するためのプログラムをいう。骨髄の状態の判定用プログラムは、骨髄有核細胞密度に関する指標に基づいて、骨髄の状態を判定するためのプログラムをいう。
【０１２９】
読出装置３０５は、CD-ROMドライブ、DVD-ROMドライブ、USBポート、SDカードリーダ、CFカードリーダ、メモリースティックリーダ、ソリッドステートドライブ、フレキシブルディスクドライブなどであり、可搬型記録媒体３２１に記録されたコンピュータプログラム又はデータを読み出すことができる。また、可搬型記録媒体３２１には、コンピュータを解析部３として機能させるためのコンピュータプログラム３２０が格納されている。可搬型記録媒体３２１から読み出されたコンピュータプログラム３２０は、ハードディスク３０４にインストールされる。
【０１３０】
入力部３０９は、入出力インターフェース３０６に接続される。出力部３１０は、画像出力インターフェース３０７に接続される。通信インターフェース３０８は、測定部２の通信インターフェース８３に接続される。
【０１３１】
(試料分析装置の動作)
図５を参照して、試料分析装置１の動作について説明する。まず、解析部３のＣＰＵ３０１が、ユーザからの測定実行の指示を、入力部３０９を介して受け付ける(ステップＳ１０１)。
【０１３２】
測定実行指示の入力受付は、試料分析装置１の出力部３１０に表示される検体種選択画面に基づいて行うことが好ましい。例えば、試料分析装置１が試料として、血液試料及び骨髄液を含む体液試料の両方の測定を行うことができる場合、新規の分析オーダーの入力画面に検体種を指定する検体種選択画面を表示し、血液及び体液からユーザに検体種を選択させることができる。検体種や測定項目等の設定後、画面に表示される測定開始をユーザがクリックすることで測定実行指示が行われる。なお、検体種の選択はこの例に限られず、例えば、骨髄液、脳脊髄液、胸水、腹水等、体液の具体的な体液の種類を指定する構成であってもよい。
【０１３３】
前述したとおり、被検者から採取した骨髄液には、骨片、血球細胞の凝集などの細胞測定の障害となり得る固形の夾雑物が含まれている場合がある。また、骨髄液と血液では含まれる血球の濃度も異なっている。このため、試料分析装置１が、血液及び骨髄液の両方の測定を行うことができる場合、血液及び骨髄液の検体間のキャリーオーバー等の影響を抑制するため、測定実行指示の入力受付時に設定された検体種に応じて、吸引部４やフローセル６１に対し、通常の洗浄動作に加えて追加の洗浄動作を行ってもよい。具体的には、検体種として骨髄液が設定された場合には、吸引部４による骨髄液の吸引前に、前述の追加の洗浄を行う。
【０１３４】
解析部３が測定実行の指示を受け付けると、ＣＰＵ３０１は、測定部２に測定開始を指示する指示データを送信し(ステップＳ１０２)、測定部２が指示データを受信する(ステップＳ１０３)。測定部２のマイクロコンピュータ８２は、測定試料調製処理を実行し(ステップＳ１０４)、測定処理を実行する(ステップＳ１０５)。
【０１３５】
図６を参照して、測定試料調製処理について説明する。マイクロコンピュータ８２が吸引部４を制御して、反応槽５４に所定量の骨髄液を供給する(ステップＳ２０１)。次に、マイクロコンピュータ８２が試料調製部５を制御して、試薬容器５２から反応槽５４に所定量の第１試薬を供給し、試薬容器５３から反応槽５４に所定量の第２試薬を供給する(ステップＳ２０２)。反応槽５４は、ヒータによって所定温度になるように加温されている。加温された状態で、反応槽５４内の混合物の撹拌が行われる(ステップＳ２０３)。ステップＳ２０１〜Ｓ２０３の動作により、反応槽５４において測定試料が調製される。マイクロコンピュータ８２が試料調製部５を制御して、測定試料を反応槽５４から検出部６へ導出する(ステップＳ２０４)。複数の反応槽を有する測定部により、例えば、有核細胞測定用の第１測定試料と脂質粒子測定用の第２測定試料等の複数の測定試料を調製する場合は、上記のステップを繰り返す。ステップＳ２０４の処理が終了すると、マイクロコンピュータ８２は、メインルーチンへ処理をリターンする。
【０１３６】
再び図５を参照して、測定試料調製後の測定処理では、検出部６による測定試料の測定が行われる。試料調製部５が、シース液と共に測定試料をフローセル６１に供給する。測定試料がフローセル６１内を流れると、粒子が１つずつ、フローセル６１のオリフィス６１ａを順次通過する。光源部６２が、フローセル６１内を流れる測定試料に光を照射する。より具体的には、光源部６２は、フローセル６１のオリフィス６１ａを通過する個々の粒子に光を照射する。粒子に光が照射されるたびに、該粒子から蛍光、前方散乱光及び側方散乱光が発せられる。
【０１３７】
粒子から発せられた蛍光は、受光部６３によって検出される。粒子から発せられた前方散乱光は、受光部６４によって検出される。粒子から発せられた側方散乱光は、受光部６５によって検出される。受光部６３、６４及び６５のそれぞれは、受光レベルに応じた電気信号を、蛍光信号、前方散乱光信号及び側方散乱光信号として出力する。信号処理回路８１は、蛍光信号から蛍光強度を抽出し、前方散乱光信号から前方散乱光強度を抽出し、側方散乱光信号から側方散乱光強度を抽出する。測定処理の後、マイクロコンピュータ８２は、各特徴パラメータを含む測定データを解析部３へ送信し(ステップＳ１０６)、処理を終了する。
【０１３８】
解析部３は、測定データを受信する(ステップＳ１０７)。その後、ＣＰＵ３０１は、測定データ解析処理を実行し、骨髄液の分析結果を生成して、分析結果をハードディスク３０４に格納する(ステップＳ１０８)。
【０１３９】
図７を参照し、測定データ解析処理について説明する。測定データ解析処理を開始すると、解析部３のＣＰＵ３０１は、測定データに含まれる蛍光強度、前方散乱光強度及び側方散乱光強度に基づいて、有核細胞及び脂質粒子を分類する(ステップＳ３０１)。ＣＰＵ３０１は、蛍光強度、前方散乱光強度及び側方散乱光強度のデータを用いて、スキャッタグラムを作成してもよい。複数の測定試料を測定した場合は、各測定試料のデータに基づいて、測定試料ごとにスキャッタグラムを作成してもよい。
【０１４０】
上記の溶解試薬及び染色試薬として、共通試薬を用いた場合を例として、ステップＳ３０１の処理を説明する。しかし、本発明はこの例に限定されない。ステップＳ３０１において、ＣＰＵ３０１は、側方散乱光強度の粒度分布と、蛍光強度の粒度分布とを組み合わせて、白血球系細胞を含む群、赤芽球系細胞を含む群、脂質粒子を含む群、及び赤血球ゴーストを含む集団を特定する。より具体的には、例えば図１Ｃに示すとおり、ＣＰＵ３０１は、白血球系細胞を含む群として、蛍光強度及び側方散乱光強度の両方が大きい粒子群を特定する。ＣＰＵ３０１は、赤芽球系細胞を含む群として、側方散乱光強度が白血球系細胞を含む群と同程度であり、且つ、蛍光強度が白血球系細胞を含む群よりも小さい群を特定する。ＣＰＵ３０１は、脂質粒子を含む群として、側方散乱光強度が白血球系細胞を含む群と同程度又は大きく、且つ蛍光強度が赤芽球系細胞を含む群より小さい群を特定する。ＣＰＵ３０１は、赤血球ゴーストを含む群として、側方散乱光強度及び蛍光強度が赤芽球系細胞を含む群より小さい群を特定する。
【０１４１】
ステップＳ３０２において、ＣＰＵ３０１は、ステップＳ３０１で分類した白血球系細胞を含む群及び赤芽球系細胞を含む群の粒子数を有核細胞数として計数し、また脂質粒子を含む群の粒子数を計数する。そして、ＣＰＵ３０１は、有核細胞数及び脂質粒子数をハードディスク３０４に記憶する。ステップＳ３０３において、ＣＰＵ３０１は、計数した有核細胞数及び脂質粒子数に基づいて、骨髄有核細胞密度に関する指標を取得する。該指標として、有核細胞数に対する脂質粒子数の比を取得する場合、ＣＰＵ３０１は、脂質粒子数を有核細胞数で割って、有核細胞数に対する脂質粒子数の比を取得する。ＣＰＵ３０１は、取得した骨髄有核細胞密度に関する指標をハードディスク３０４に記憶する。
【０１４２】
ステップＳ３０４において、ＣＰＵ３０１が、ユーザからの判定開始実行の指示を、入力部３０９を介して受け付けた場合、ＣＰＵ３０１は、ステップＳ３０３で取得した骨髄有核細胞密度に関する指標に基づいて、骨髄の状態を判定する。ＣＰＵ３０１が、ユーザからの判定開始実行の指示を受け付けていなかった場合、ＣＰＵ３０１は、測定データ解析処理を終了し、メインルーチンへ処理をリターンする。図５を参照して、上記のような測定データ解析処理を終了すると、ＣＰＵ３０１は、分析結果を出力部３１０に出力して(ステップＳ１０９)、処理を終了する。なお、本実施形態では骨髄の状態の判定をユーザからの判定開始実行の指示に基づいて行っているがこれに限られず、特にユーザからの指示がなくとも自動的に判定を行う構成であってもよい。
【０１４３】
[３．コンピュータプログラム]
図８Ａを参照して、骨髄の状態が低形成であるかの判定処理について説明する。ここでは、骨髄有核細胞密度に関する指標として、有核細胞数に対する脂質粒子数の比(LP/NC)の値を取得した場合を例として説明する。しかし、本発明はこの例に限定されない。ステップＳ４０１において、ＣＰＵ３０１は、取得したLP/NCの値と、ハードディスク３０４に記憶された第１の閾値とを比較する。測定値が所定の閾値より高いとき、処理は、ステップＳ４０２に進行する。ＣＰＵ３０１は、骨髄の状態が低形成であるとの判定結果を取得し、ハードディスク３０４に記憶する。LP/NCの値が第１の閾値以下であるとき、処理は、ステップＳ４０３に進行する。ＣＰＵ３０１は、骨髄の状態が正形成又は過形成であるとの判定結果を取得し、ハードディスク３０４に記憶する。以上で、ＣＰＵ３０１は、判定処理を終了し、メインルーチンへ処理をリターンする。図５を参照して、ＣＰＵ３０１は、判定結果を出力部３１０に出力して(ステップＳ１１０)、処理を終了する。
【０１４４】
図８Ｂを参照して、骨髄の状態が過形成であるかの判定処理について説明する。ここでは、骨髄有核細胞密度に関する指標として、LP/NCの値を取得した場合を例として説明する。しかし、本発明はこの例に限定されない。ステップＳ５０１において、ＣＰＵ３０１は、取得したLP/NCの値と、ハードディスク３０４に記憶された第２の閾値とを比較する。測定値が所定の閾値より低いとき、処理は、ステップＳ５０２に進行する。ＣＰＵ３０１は、骨髄の状態が過形成であるとの判定結果を取得し、ハードディスク３０４に記憶する。LP/NCの値が第２の閾値以上であるとき、処理は、ステップＳ５０３に進行する。ＣＰＵ３０１は、骨髄の状態が正形成又は低形成であるとの判定結果を取得し、ハードディスク３０４に記憶する。以上で、ＣＰＵ３０１は、判定処理を終了し、メインルーチンへ処理をリターンする。図５を参照して、ＣＰＵ３０１は、判定結果を出力部３１０に出力して(ステップＳ１１０)、処理を終了する。
【０１４５】
図８Ｃを参照して、骨髄の状態が低形成、正形成及び過形成のいずれであるかの判定処理について説明する。ここでは、骨髄有核細胞密度に関する指標として、LP/NCの値を取得した場合を例として説明する。しかし、本発明はこの例に限定されない。ステップＳ６０１において、ＣＰＵ３０１は、取得したLP/NCの値と、ハードディスク３０４に記憶された第１の閾値とを比較する。測定値が所定の閾値より高いとき、処理は、ステップＳ６０２に進行する。ＣＰＵ３０１は、骨髄の状態が低形成であるとの判定結果を取得し、ハードディスク３０４に記憶する。LP/NC値が第１の閾値以下であるとき、処理は、ステップＳ６０３に進行する。
【０１４６】
ステップＳ６０３において、ＣＰＵ３０１は、取得したLP/NCの値と、ハードディスク３０４に記憶された第２の閾値とを比較する。測定値が所定の閾値より低いとき、処理は、ステップＳ６０４に進行する。ＣＰＵ３０１は、骨髄の状態が過形成であるとの判定結果を取得し、ハードディスク３０４に記憶する。LP/NCの値が第２の閾値以上であるとき、処理は、ステップＳ６０５に進行する。ＣＰＵ３０１は、骨髄の状態が正形成であるとの判定結果を取得し、ハードディスク３０４に記憶する。以上で、ＣＰＵ３０１は、判定処理を終了し、メインルーチンへ処理をリターンする。図５を参照して、ＣＰＵ３０１は、判定結果を出力部３１０に出力して(ステップＳ１１０)、処理を終了する。
【０１４７】
本実施形態では、図８Ａ〜Ｃを用いて、「低形成であるかの判定処理」、「過形成であるかの判定処理」及び「低形成、正形成及び過形成のいずれであるかの判定処理」をそれぞれ個別に説明したが、骨髄の状態の判定処理（Ｓ３０５）はこれらの一部でも実施していればよく、また全ての判定処理を行ってもよい。
【０１４８】
図９を参照して、出力部３１０に表示される分析結果の例について説明する。しかし、本発明はこの例に限定されない。出力部３１０には、分析結果画面５００が表示される。分析結果画面５００は、試料情報表示領域５１０と、患者情報表示領域５２０と、測定結果表示領域５３０と、参考情報表示領域５４０とを有する。
【０１４９】
試料情報表示領域５１０には、測定した骨髄液の情報が表示される。患者情報表示領域５２０には、骨髄液を採取された被検者の情報が表示される。測定結果表示領域５３０には、測定データ解析処理によって得られた各項目の測定値が表示される。測定結果表示領域５３０に表示される測定値は、白血球数(WBC)と、有核赤血球数(NRBC)と、脂質粒子数(LIPID)の測定値を含む。また、骨髄有核細胞密度に関する指標として、LP/NCの値が表示される。骨髄有核細胞密度に関する指標はLP/NCの値に限定されず、他の値を表示してもよい。また、白血球数(WBC)及び有核赤血球数(NRBC)の和を有核細胞数として表示してもよい。測定結果表示領域５３０には、脂質粒子数の計数に用いた、側方散乱光強度及び蛍光強度を座標軸とする座標空間における粒子の分布を示すスキャッタグラム５３１と、側方散乱光強度及び前方散乱光強度を座標軸とする座標空間における粒子の分布を示すスキャッタグラム５３２を表示している。また、測定結果表示領域５３０には、有核細胞数の計数に用いた、蛍光強度及び前方散乱光強度を座標軸とする座標空間における粒子の分布を示すスキャッタグラム５３３を表示している。
【０１５０】
骨髄有核細胞密度に関する指標に基づいて、骨髄の状態の判定を行った場合、参考情報表示領域５４０には、判定結果が表示される。図９では、被検者の骨髄の状態が正形成であるとの判定結果として「Normocellular」とのフラグが出力部３１０に表示される。さらに、骨髄の状態が過形成であるときには、例えば、「Hypercellular」のフラグを出力部３１０に表示してもよい。また、低形成であるときには、例えば、「Hypocellular」のフラグを出力部３１０に表示してもよい。しかし、判定結果を示す情報は、これに限定されない。
【０１５１】
このように本実施形態の試料分析装置及びコンピュータプログラムは、骨髄有核細胞密度に関する指標及びそれに基づく判定結果を医師などに提供することにより、血液疾患の診断及び鑑別を補助することができる。
【０１５２】
以下に、本発明を実施例により詳細に説明するが、本発明はこれらの実施例に限定されるものではない。
【実施例】
【０１５３】
実施例１
(１) 試薬
実施例１では、有核細胞を測定するための第１試薬と、脂質粒子を測定するための第２試薬とを用いた。第１試薬は、溶血剤を含む溶解試薬と、蛍光色素を含む染色試薬との二試薬で構成される、有核赤血球及び白血球計数用試薬であった。第２試薬は、溶血剤を含む溶解試薬と、蛍光色素を含む染色試薬との二試薬で構成される白血球分類用試薬であった。各試薬は、以下のようにして調製した。
【０１５４】
(1.1) 第１試薬
・溶解試薬
ドデシルトリメチルアンモニウムクロライド(LTAC：東京化成工業株式会社)、ポリオキシエチレン(20)ポリオキシプロピレン(8)セチルエーテル(PBC-44：日光ケミカルズ株式会社)、フタル酸水素カリウム(富士フイルム和光純薬株式会社)、DL-リンゴ酸及びEDTA-2K(中部キレスト株式会社)を、以下の組成となるように混合した。溶媒には精製水を用いた。水酸化ナトリウムを用いて、試薬のpHを3.0に調整した。
【０１５５】
[溶解試薬の組成]
2000 ppm LTAC
1000 ppm PBC-44
2 mM フタル酸水素カリウム
10 mM DL-リンゴ酸
0.2 g/L EDTA-2K
0.0324 g/L NaOH
【０１５６】
・染色試薬
蛍光色素のNK-3383(株式会社林原)をエチレングリコールに溶解した。染色試薬におけるNK-3383の濃度は、51.1 mg/Lであった。
【０１５７】
(1.2) 第２試薬
・溶解試薬
LTAC(東京化成工業株式会社)、ポリオキシエチレン(30)セチルエーテル(BC30TX：日光ケミカルズ株式会社)、フタル酸水素カリウム(富士フイルム和光純薬株式会社)及びEDTA-2K(中部キレスト株式会社)を、以下の組成となるように混合した。溶媒には精製水を用いた。水酸化ナトリウムを用いて、試薬のpHを6.0に調整した。
【０１５８】
[溶解試薬の組成]
685 ppm LTAC
1750 ppm BC30TX
40 mM フタル酸水素カリウム
0.2 g/L EDTA-2K
1.431 g/L NaOH
【０１５９】
・染色試薬
第２試薬の染色試薬として、ストマトライザー4DS(シスメックス株式会社)を用いた。
【０１６０】
(２) 測定
(2.1) 測定試料の調製
18名の被検者から採取した骨髄液(EDTA-2K添加骨髄液)を用いた。各被検者の骨髄液から一部を取り、常法にしたがって染色して塗抹標本を作製した。残りの骨髄液を孔径40μmのナイロンメッシュでろ過することにより、骨片を除いた。FCMを備えた自動血球分析装置XN-2000(シスメックス株式会社)により、骨髄液を次のようにして測定した。まず、骨髄液を第１骨髄液及び第２骨髄液に分けた。第一骨髄液(1μL)に第１試薬の溶解試薬(50μL)及び染色試薬(1μL)を添加し、40℃で20秒間インキュベートして、第１測定試料を調製した。第２骨髄液(1μL)に第２試薬の溶解試薬(50μL)及び染色試薬(1μL)を添加し、40℃で20秒間インキュベートして、第２測定試料を調製した。
【０１６１】
(2.2) 測定試料の測定
第１測定試料に光を照射して、該試料中の個々の粒子から発せられる光学的シグナルを取得した。また、第２測定試料に光を照射して、該試料中の個々の粒子から発せられる光学的情報を取得した。実施例１では、光学的情報として、蛍光強度、側方散乱光強度及び前方散乱光強度を取得した。また、各測定試料の測定で取得した光学的シグナルに基づいて、スキャッタグラムを作成した。なお、骨髄液の分配、測定試料の調製及び測定は、XN-2000により自動的に行われた。
【０１６２】
作成したスキャッタグラムの一例を、図10Ａ、Ｂ及びＣに示す。図10Ａは、第１試薬(有核赤血球及び白血球計数用試薬)を用いた測定のスキャッタグラムであり、図10Ｂ及びＣは、第２試薬(白血球分類用試薬)を用いた測定のスキャッタグラムである。図10Ａでは、Ｘ軸に蛍光強度をとり、Ｙ軸に前方散乱光強度をとった。図10Ｂでは、Ｘ軸に側方散乱光強度をとり、Ｙ軸に蛍光強度をとった。図10Ｃでは、Ｘ軸に側方散乱光強度をとり、Ｙ軸に前方散乱光強度をとった。図10Ａにおいて、楕円で囲んだ領域で示すように、有核赤血球の集団、好塩基球の集団、及び好塩基球以外の白血球の集団が、有核細胞の集団としてとして出現した。図10Ｂにおいて、楕円で囲んだ領域で示すように、白血球が、リンパ球の集団、単球の集団、好中球及び好塩基球の集団、好酸球の集団、及び顆粒球系幼若球の集団の５つに分類された。また、脂質粒子の集団が、蛍光強度がほとんどない領域における集団として、Ｘ軸に沿うように出現した。図10Ｃでは、白血球が、リンパ球の集団、単球の集団、好中球及び好塩基球の集団、及び好酸球の集団の４つに分類された。また、脂質粒子の集団が、スキャッタグラム中を蛇行するような領域に出現した。実施例１では、有核赤血球及び白血球計数用試薬を用いた測定で得た蛍光強度及び前方散乱光強度に基づいて、有核細胞数を取得した。また、白血球分類用試薬を用いた測定で得た蛍光強度、側方散乱光強度及び前方散乱光強度に基づいて、脂質粒子数を取得した。
【０１６３】
(３) 分析及び結果
塗抹標本を顕微鏡で観察して、各被検者の骨髄有核細胞密度を取得し、骨髄の状態を判定した。その結果、低形成が７名、正形成が５名、過形成が６名であった。各被検者の骨髄液について、XN-2000により取得した有核細胞数及び脂質粒子数から、有核細胞数に対する脂質粒子数の比(脂質粒子数／有核細胞数)を算出した。顕微鏡観察に基づく骨髄有核細胞密度により分類された各被検者について、有核細胞数に対する脂質粒子数の比の分布を調べた。結果を図11に示す。
【０１６４】
有核細胞数に対する脂質粒子数の比の値について、ROC解析により、低形成の被検者と、残りの被検者(正形成及び過形成)とを判別する最適なカットオフ値を求めた。その結果、比の値のカットオフ値が0.45であるとき、感度が100.0%、特異度が85.7%であった。また、過形成の被検者と、残りの被検者(正形成及び低形成)とを判別する最適なカットオフ値も求めた。その結果、有核細胞数に対する脂質粒子数の比のカットオフ値が0.17であるとき、感度が94.1%、特異度が90.9%であった。得られたROC曲線を図12Ａ及びＢに示す。
【０１６５】
(４) 考察
図11から分かるように、顕微鏡観察に基づく骨髄有核細胞密度と、自動血球分析装置による有核細胞数に対する脂質粒子数の比との相関は良好であった。上記の結果より、骨髄液をFCMで測定することにより、骨髄有核細胞密度に関連する情報として、有核細胞数に対する脂質粒子数の比を取得できることが示された。また、有核細胞数に対する脂質粒子数の比に基づいて、骨髄の状態を精度よく判定できることが示された。
【符号の説明】
【０１６６】
１  試料分析装置
２  測定部
３  解析部
５  試料調製部
６  検出部
６１  フローセル
６２  光源部
６３  受光部
６４  受光部
６５  受光部
３０１  ＣＰＵ
３１０  出力部
３２０  アプリケーションプログラム
３２１  可搬型記録媒体
【図１Ａ】
2020079772.tif 000015
【図１Ｂ】
2020079772.tif 000016
【図１Ｃ】
2020079772.tif 000017
【図２Ａ】
2020079772.tif 000018
【図２Ｂ】
2020079772.tif 000019
【図３】
2020079772.tif 000020
【図４】
2020079772.tif 000021
【図５】
2020079772.tif 000022
【図６】
2020079772.tif 000023
【図７】
2020079772.tif 000024
【図８Ａ】
2020079772.tif 000025
【図８Ｂ】
2020079772.tif 000026
【図８Ｃ】
2020079772.tif 000027
【図９】
2020079772.tif 000028
【図１０Ａ】
2020079772.tif 000029
【図１０Ｂ】
2020079772.tif 000030
【図１０Ｃ】
2020079772.tif 000031
【図１１】
2020079772.tif 000032
【図１２Ａ】
2020079772.tif 000033
【図１２Ｂ】
2020079772.tif 000034